(57)【特許請求の範囲】
【請求項１】
相手側接続端子の接続端と接続する接続端子を端子接続部を介して係止するためのリアホルダをハウジングの後部から前進自在に嵌合し、前記リアホルダと前記ハウジングとは前記リアホルダを中間まで挿入した仮係合位置と、前記リアホルダを十分に押し込んだ本係合位置とでそれぞれ係合するコネクタにおいて、前記リアホルダの接続端子載置部には前記接続端子の後方への移動を規制する後方係止部を設け、前記リアホルダの前記仮係合位置において前記接続端子を前記ハウジングに傾斜状態で挿入した後に前記接続端子を水平状態に移動し、前記端子接続部を前記接続端子載置部上に載置して前記端子接続部の後端角部を前記後方係止部により係止し、前記リアホルダを押し込むことにより前記接続端子を共に押し込み、前記本係合位置において前記リアホルダにより前記接続端子を固定することを特徴とするコネクタ。
【請求項２】
前記ハウジングには前記接続端子を傾斜状態で受け入れる傾斜部を設けた請求項１に記載のコネクタ。
【請求項３】
前記リアホルダには前記接続端子の前方への抜け出しを規制する前方係止部を設けた請求項１に記載のコネクタ。
【請求項４】
前記リアホルダの後部に前記接続端子の電線固定部を嵌合するための溝部を設けた請求項１に記載のコネクタ。
【発明の詳細な説明】
【０００１】
【発明の属する技術分野】
本発明は、例えば自動車等の電気配線の接続に使用され、収容した接続端子の後方への抜け出しを防止する後方係止部を備えたコネクタに関するものである。
【０００２】
【従来の技術】
従来のこの種のコネクタには、収容した接続端子を係止するための可撓性を有する係止ランスが設けられているのが通常である。この係止ランスは一体に設けられる場合が多いが、別体のリアホルダに設けられる場合もある。
【０００３】
例えば、図１１の側方から見た断面図及び図１２の分解斜視図は後者の場合を示し、ハウジング１の端子収容室１ａにはリアホルダ２が前後に移動自在に係合され、このリアホルダ２はハウジング１に図示しない係合手段により２段階の位置で係止される。この第１の位置はリアホルダ２がハウジング１に対して途中まで挿入された仮係合位置であり、第２の位置はリアホルダ２がハウジング１に対して完全に押し込まれた本係合位置である。
【０００４】
このように、リアホルダ２を仮係合、本係合の２段階に位置させることにより、接続端子３の収容前においてハウジング１とリアホルダ２が仮係合され、この仮係合位置において、電線３ａを取り付けた接続端子３をリアホルダ２を通してハウジング１内に挿通できる利点が生ずる。そして、この仮係合位置にあるときに接続端子３が端子保持室２ａに挿入され、係止ランス２ｂの突起２ｃが接続端子３の底部に設けた嵌合孔３ｂに嵌入する。この状態から、リアホルダ２をハウジング１に対して押し込んで本係合位置にすると、係止ランス２ｂの先端部２ｄがハウジング１のガイド１ｂに乗り上がり、係止ランス２ｂの係止力が補強される。
【０００５】
【発明が解決しようとする課題】
しかしながら上述した従来例においては、接続端子３を係止ランス２ｂの弾性力によって係止するため、相手側接続端子からの押圧力により係止ランス２ｂが破損し易い。また、係止ランス２ｂを成型するための金型代が嵩むという問題点がある上に、接続端子３を引き抜く場合には、係止ランス２ｂを接続端子３から外すための治具を必要とするという問題がある。また、接続端子３の後部の下方には空間が存在するため、接続端子３の後部が端子保持室２ａ内で揺動するという問題点がある。なお、これらの問題点は、ハウジング内に係止ランスを一体に設ける場合も同様である。
【０００６】
本発明の目的は、上述した問題点を解消し、リアホルダのみにより接続端子を確実に係止することができるコネクタを提供することにある。
【０００７】
【課題を解決するための手段】
上記目的を達成するための本発明に係るコネクタは、相手側接続端子の接続端と接続する接続端子を端子接続部を介して係止するためのリアホルダをハウジングの後部から前進自在に嵌合し、前記リアホルダと前記ハウジングとは前記リアホルダを中間まで挿入した仮係合位置と、前記リアホルダを十分に押し込んだ本係合位置とでそれぞれ係合するコネクタにおいて、前記リアホルダの接続端子載置部には前記接続端子の後方への移動を規制する後方係止部を設け、前記リアホルダの前記仮係合位置において前記接続端子を前記ハウジングに傾斜状態で挿入した後に前記接続端子を水平状態に移動し、前記端子接続部を前記接続端子載置部上に載置して前記端子接続部の後端角部を前記後方係止部により係止し、前記リアホルダを押し込むことにより前記接続端子を共に押し込み、前記本係合位置において前記リアホルダにより前記接続端子を固定することを特徴とする。
【０００８】
【発明の実施の形態】
本発明を図１〜図１０に図示の実施例に基づいて詳細に説明する。
図１は第１の実施例の側方から見た断面図であり、電線１１が取り付けられた接続端子１２がリアホルダ１３に保持され、このリアホルダ１３がハウジング１４に本係合位置で係合された状態を示している。接続端子１２は導電金属板により例えば雌型接続端子として製造され、そこには相手側の雄型接続端子の挿込端を受け入れる端子接続部２１と、電線１１の芯線を圧着する芯線圧着部２２と、電線１１の被覆を圧着する被覆圧着部２３とが順次に設けられている。なお、接続端子１２が雄型接続端子である場合には、その挿込端が端子接続部２１の前部に突設される。
【０００９】
リアホルダ１３及びハウジング１４は絶縁性合成樹脂材により形成され、図２の一部を切欠した斜視図に示すように、リアホルダ１３のリアホルダ本体３１はハウジング１４の後部に嵌合される例えば角枠体状とされ、このリアホルダ本体３１の内部には接続端子１２の後半部を絶縁保持するための隔壁３２ａにより区画された複数の端子保持室３２が設けられている。リアホルダ本体３１の前方には、接続端子１２の端子接続部２１を保持するための例えば下段に４列、上段に２列の長辺状の端子保持部３３が端子保持室３２の底壁３４及び天壁３５から一体にそれぞれ延設されている。
【００１０】
端子保持部３３の上面前端には、接続端子１２の端子接続部２１の前端を係止して接続端子１２の前方への移動を規制するための突起から成る前方係止部３６ａ、３６ｂが設けられ、端子保持部３３の上面後部には端子接続部２１の後端を係止して接続端子１２の後方への移動を規制するための突起から成る後方係止部３７が設けられている。そして、端子保持室３２の底壁３４の後部には下段部３８が設けられ、接続端子１２の被覆圧着部２３が位置するようになっている。
【００１１】
ここで、前方係止部３６ａ、３６ｂと後方係止部３７の間隔は、端子接続部２１が前後動することのないように係止される間隔とされている。また、後方係止部３７の高さは、端子接続部２１の底面が端子保持部３３に接触し、かつ被覆圧着部２３が段部３８の底面に接触した際に、端子接続部２１の後端角部を十分に係止する高さとされている。
【００１２】
一方、ハウジング１４には、リアホルダ本体３１を前後動自在に嵌合するリアホルダ嵌合部４１が設けられている。このリアホルダ嵌合部４１の前方には、リアホルダ１３の端子保持部３３及び接続端子１２の端子接続部２１を収容するための端子収容室４２が連設されている。端子収容室４２の幅は端子接続部２１の左右方向の動きを防止する幅とされている。端子収容室４２の高さは、前部において端子保持部３３と端子接続部２１の上下方向の動きを防止する高さとされ、後部において接続端子１２をリアホルダ１３に容易に挿入できる高さとされている。このため、天壁４３の下面には、前部では端子収容室４２の底部４４に平行な平行面４３ａが設けられ、後部では後方へ向けて底壁４４からの高さが屈折部を有して大きくなる傾斜面４３ｂ、４３ｃが設けられている。
【００１３】
天壁４３の前端には、端子接続部２１の前端に係止してその前方への移動を規制するための突起４５が設けられている。下部の端子収容室４２の天壁４３つまり上部の端子収容室４２の底部４４の後部には、リアホルダ１３の隔壁３２ａが嵌入するスリット４３ｄが設けられ、その上方にはハウジング１４が相手側のコネクタハウジングに結合された際に、互いに錠止するための錠止突起４６ａを有する錠止アーム４６が設けられている。なお、この錠止アーム４６は図１、図５〜図９においては、図示を省略している。
【００１４】
このように形成されたリアホルダ１３は、図３の一部を切欠した斜視図に示すように、ハウジング１４に後部から挿入される。このとき、リアホルダ１３の端子保持部３３がハウジング１４の端子収容室４２に収容されると共に、リアホルダ本体３１がハウジング１４のリアホルダ嵌合部４１に嵌合される。また、リアホルダ本体３１の隔壁３２ａがスリット４３ｄに嵌入すると共に、中間の天壁４３が端子保持室３２に進入する。リアホルダ１３はハウジング１４に対して、図示しない突起等の公知の係合手段により仮係合位置及び本係合位置で係合される。
【００１５】
仮係合位置は図３に示すように、リアホルダ１３がハウジング１４に対して中間まで挿入された位置であり、接続端子１２が端子収容室４２内のリアホルダ１３に係止される位置でもある。また、本係合位置は図４に示すように、リアホルダ１３がハウジング１４に対して前方へ完全に押し込まれた位置であり、挿入された接続端子１２がハウジング１４に正規に配置される位置でもある。
【００１６】
接続端子１２をハウジング１４に収容する際には、先ず図５に示すようにリアホルダ１３を中間まで挿入して、ハウジング１４に対して仮係合位置に位置させる。この状態で、電線１１を接続した接続端子１２を図６に示すように１個ずつリアホルダ１３の端子保持室３２に挿通し、接続端子１２の端子接続部２１を後方係止部３７と傾斜面４３ｂ、４３ｃの間に斜め方向から押し込む。接続端子１２を更に押し込むと、図７に示すように端子接続部２１の前端の一部がリアホルダ１３の前方係止部３６ａ、３６ｂに当接し、接続端子１２の前方への移動が規制される。このとき、端子接続部２１の後端角部は後方係止部３７を乗り越えた位置にある。
【００１７】
そこで、接続端子１２を押し下げると、図８に示すように接続端子１２の後端角部が下方へ移動し、端子接続部２１の下面が端子保持部３３に密着すると共に、被覆圧着部２３が下段部３８にほぼ当接し、端子接続部２１の後端角部が後方係止部３７により係止される。
【００１８】
この状態から、リアホルダ１３を前方へ押し込むと、図１に示すように本係合状態となり、端子接続部２１の上面が天壁４３の平行面４３ａに押圧され、端子接続部２１の前端の一部は突起４５により係止される。この状態で、接続端子１２はハウジング１４に完全に挿入され、かつ確固な係止がなされることになる。
【００１９】
また、接続端子１２をハウジング１４から取り外す場合には、リアホルダ１３を本係合している係止部を外してから、リアホルダ１３を引き出して接続端子１２を取り出すことができる。
【００２０】
このように、第１の実施例は端子収容室４２の前部の大きさを、端子保持部３３と端子接続部２１の上下及び左右の動きを規制する大きさにしたため、本係合位置で接続端子１２の上下方向及び左右方向の揺動を防止することができ、更にリアホルダ１３の前方係止部３６ａ、３６ｂと後方係止部３７により端子接続部２１の前後端を仮係合位置で係止するため、本係合位置に移動しても接続端子１２の前後方向の揺動を防止することができる。
【００２１】
また、リアホルダ１３及びハウジング１４の何れにも従来例のような係止ランスを設ける必要がないため、リアホルダ１３及びハウジング１４の形状や構造が簡素になり、それらの成形が容易になることにより製造コストを削減することができる。更に、ハウジング１４の形状や構造が簡素になるため、その製造コストを削減することができる。また、リアホルダ１３及びハウジング１４には係止ランスを設けないため、係止ランスを外すための治具を省くことができる。
【００２２】
図９は第２の実施例の仮係合状態の側方から見た断面図であり、リアホルダ１３及びハウジング１４は第１の実施例よりも長尺とされ、リアホルダ１３の後部には下段部３８に代えて溝部５０が設けられている。また、接続端子１２の被覆圧着部２３の高さは、溝部５０に嵌入する大きさとされている。
【００２３】
この実施例は、第１の実施例と同様に係合状態において、接続端子１２を前方係止部３６ａ、３６ｂ及び後方係止部３７により係止する上に、被覆圧着部２３を溝部５０の前後壁により係止するため、接続端子１２の前後方向の抜け出しを第１の実施例よりも良好に防止することができ、その他の作用効果は第１の実施例とほぼ同様になる。
【００２４】
図１０は第３の実施例の断面図であり、リアホルダ１３の前方係止部３６ａ、３６ｂは省略され、接続端子１２の前方の係止は本係合状態においてハウジング１４の突起４５によって行われる。
【００２５】
【発明の効果】
以上説明したように本発明に係るコネクタは、リアホルダをハウジングに仮係合した状態で接続端子を傾斜状態で受け入れ、接続端子が所定位置に進入した後に接続端子を水平状態にして端子接続部の後端角部を後方係止部により係止し、その後にリアホルダを本係合位置に移動し、接続端子の後方への抜け出しを防止する。
【図面の簡単な説明】
【図１】第１の実施例の側方から見た断面図である。
【図２】リアホルダとハウジングの一部を切欠した斜視図である。
【図３】ハウジングにリアホルダを仮係合した状態の斜視図である。
【図４】ハウジングにリアホルダを本係合した状態の側方から見た斜視図である。
【図５】ハウジングにリアホルダを仮係合した状態の側方から見た断面図である。
【図６】接続端子をリアホルダに挿入中の側方から見た断面図である。
【図７】接続端子を更にリアホルダに挿入中の側方から見た断面図である。
【図８】接続端子を仮係合状態のリアホルダに装着した状態の側方から見た断面図である。
【図９】第２の実施例の仮係合状態の側方から見た断面図である。
【図１０】第３の実施例の断面図である。
【図１１】従来例の断面図である。
【図１２】従来例の分解斜視図である。
【図１】
0003573556.tif 000002
【図２】
0003573556.tif 000003
【図３】
0003573556.tif 000004
【図４】
0003573556.tif 000005
【図５】
0003573556.tif 000006
【図６】
0003573556.tif 000007
【図７】
0003573556.tif 000008
【図８】
0003573556.tif 000009
【図９】
0003573556.tif 000010
【図１０】
0003573556.tif 000011
【図１１】
0003573556.tif 000012
【図１２】
0003573556.tif 000013